(57)【要約】  ＵＥ（ユーザ装置）により実行されるべき方法が提供される。該方法は、Ｐ２Ｐ通信モードの上記ＵＥがセルハンドオーバを実行するために、当該ＵＥが所在している活動セル及びその隣接セルのダウンリンク信号を検出するステップ（Ｓ２０５）と、該検出結果に基づいて、リンク性能が上記活動セルのものより所定値高いような、適したセルが存在するかを判定するステップ（Ｓ２０９）と、上記適したセルが存在する場合に、検出レポートメッセージをネットワークシステムに送信して、該ネットワークシステムの判定手順を開始させるステップであって、該判定手順がＰ２Ｐ通信中の前記ＵＥ及び他のＵＥがＰ２Ｐ通信を継続するために上記適したセルへハンドオーバすることができるかを決定するようなステップ（Ｓ２１０）とを有する。
2007512752.tif 000002
【特許請求の範囲】
【請求項１】
ＵＥ（ユーザ装置）により実行されるべき、Ｐ２Ｐ通信モードの前記ＵＥがセルハンドオーバを実行する方法において、
（ａ）前記ＵＥが所在している活動セル及び該活動セルの隣接セルのダウンリンク信号を検出するステップと、
（ｂ）該検出結果に基づいて、リンク性能が前記活動セルのものより所定値高いような好適セルが存在するかを判定するステップと、
（ｃ）前記好適セルが存在する場合に検出レポートメッセージをネットワークシステムに送信して該ネットワークシステムの判定手順を開始させるステップであって、該判定手順が、Ｐ２Ｐ通信中の前記ＵＥ及び他のＵＥが前記好適セルにハンドオーバしてＰ２Ｐ通信を継続することができるかを決定するようなステップと、
を有することを特徴とする方法。
【請求項２】
請求項１に記載の方法において、前記ステップ（ｂ）が、
（b1）前記ダウンリンク信号の検出結果に基づいて、リンク性能が前記隣接セルにおいて通信品質の要件を満たすことができるような候補セルが存在するかを判定するステップと、
（b2）前記候補セルが存在する場合に、これら候補セル内に前記好適セルが存在するかを判定するステップと、
を含むことを特徴とする方法。
【請求項３】
請求項２に記載の方法において、
候補セルに関するレポートメッセージを前記ネットワークシステムに送信して、前記判定された候補セルを前記ネットワークシステムに報告するステップ、
を更に有していることを特徴とする方法。
【請求項４】
請求項１ないし３の何れか一項に記載の方法において、
（d1）前記ネットワークシステムからセルハンドオーバコマンドを受信するステップと、
（e1）前記好適セルにおいて前記他のＵＥとのＰ２Ｐ接続を確立するステップと、
を更に有することを特徴とする方法。
【請求項５】
請求項４に記載の方法において、
前記活動セルにおけるＰ２Ｐ接続を解放するステップと、
セルハンドオーバを完了させるメッセージを前記ネットワークシステムに送信するステップと、
を更に有することを特徴とする方法。
【請求項６】
請求項１ないし３の何れか一項に記載の方法において、
（d2）前記ネットワークシステムから検出制御メッセージを受信するステップと、
（e2）該検出制御メッセージに従って、前記活動セルのリンク性能に関する検出レポートメッセージを前記ネットワークシステムに送信するステップと、
を更に有することを特徴とする方法。
【請求項７】
ネットワークシステムにより実行されるべき、Ｐ２Ｐ通信モードの２つのＵＥがセルハンドオーバを実行する方法において、
（ａ）前記２つのＵＥのうちの何れかのＵＥから、該ＵＥが自身の活動セルの隣接セルに、リンク性能が該自身の活動セルのものより所定の値高いような好適セルが存在することを検出したことを示す検出レポートメッセージを受信するステップと、
（ｂ）前記２つのＵＥがＰ２Ｐ通信を継続するために前記好適セルにハンドオーバすることができるかを決定するための判定手順を開始するステップと、
を有することを特徴とする方法。
【請求項８】
請求項７に記載の方法において、前記ステップ（ｂ）が、
前記２つのＵＥのうちの他のＵＥの前記好適セルにおけるリンク性能が通信品質の要件を満たすことができるかを判定するステップ、
を含んでいることを特徴とする方法。
【請求項９】
請求項８に記載の方法において、
（c1）前記通信品質の要件が満たされる場合に、前記２つのＵＥの間に通知リンクを確立するステップと、
（d1）前記２つのＵＥが前記好適セルにおいてＰ２Ｐ接続を確立することができるように、セルハンドオーバコマンドを前記２つのＵＥに送信するステップと、
を更に有することを特徴とする方法。
【請求項１０】
請求項８に記載の方法において、
（c2）前記通信品質の要件を満たすことができない場合に、前記活動セルにおける前記他のＵＥのリンク性能をチェックするステップと、
（d2）前記活動セルにおける前記２つのＵＥのリンク性能が前記通信品質の要件を満たすことができるかを判定するステップと、
（e2）前記活動セルにおける前記２つのＵＥのリンク性能が共に前記通信品質の要件を満たすことができる場合に、前記２つのＵＥが前記活動セルにおいてＰ２Ｐ通信を継続することができるように、前記２つのＵＥにＰ２Ｐ通信を維持するコマンドを送信するステップと、
を更に有することを特徴とする方法。
【請求項１１】
請求項１０に記載の方法において、
前記活動セルにおける前記２つのＵＥのうちの少なくとも一方のリンク性能が前記通信品質の要件を満たすことができない場合に、前記２つのＵＥがＰ２Ｐ通信モードから通常の通信モードへ切り換わることができるように、前記２つのＵＥに通常の通信モードへ切り換えるコマンドを送信するステップ、
を更に有することを特徴とする方法。
【請求項１２】
請求項１０に記載の方法において、前記ステップ（c2）が、
前記他のＵＥに検出制御メッセージを送信して、該他のＵＥに前記活動セルのリンク性能に関する検出レポートを送信するように要求するステップと、
前記他のＵＥから該検出レポートを受信するステップと、
該検出レポートに基づいて、前記活動セルにおける前記他のＵＥのリンク性能をチェックするステップと、
を含むことを特徴とする方法。
【請求項１３】
請求項７に記載の方法において、
前記２つのＵＥのうちの何れかのＵＥに対する候補セルに関してのレポートメッセージを受信するステップであって、該レポートメッセージが、前記ＵＥが自身の活動セルの隣接セルのリンク性能が前記通信品質の要件を満たすことができることを検出したことを示すようなステップと、
該レポートメッセージに従って、前記ＵＥの各候補セルにマークを付けるステップと、
を更に有することを特徴とする方法。
【請求項１４】
ＵＥ（ユーザ装置）において、
前記ＵＥの活動セル及び該活動セルの隣接セルにおける前記ＵＥのダウンリンク信号を検出する検出ユニットと、
該検出結果に基づいて、リンク性能が前記活動セルのものより所定値高いような好適セルが存在するかを判定する判定ユニットと、
前記好適セルが存在する場合に、ネットワークシステムに検出レポートメッセージを送信して該ネットワークシステムの判定手順を開始させる送信ユニットであって、該判定手順が、Ｐ２Ｐ通信中の前記ＵＥ及び他のＵＥがＰ２Ｐ通信を継続するために前記好適セルにハンドオーバすることができるかを決定するような送信ユニットと、
を有することを特徴とするＵＥ。
【請求項１５】
請求項１４に記載のＵＥにおいて、
前記ネットワークシステムからセルハンドオーバコマンドを受信する受信ユニットと、
前記好適セルにおいて前記他のＵＥとのＰ２Ｐ接続を確立する確立ユニットと、
を更に有することを特徴とするＵＥ。
【請求項１６】
２つのＵＥのうちの何れかのＵＥから検出レポートメッセージを受信する受信ユニットであって、該検出レポートメッセージが、前記ＵＥが自身の活動セルの隣接セル内に、リンク性能が自身の活動セルのものより所定値高いような好適セルが存在することを検出したことを示すような受信ユニットと、
前記２つのＵＥがＰ２Ｐ通信を継続するために前記好適セルにハンドオーバすることができるかを決定するための判定手順を開始する判定ユニットであって、該判定ユニットが、前記２つのＵＥのうちの他のＵＥの前記好適セルにおけるリンク性能が通信品質の要件を満たすことができるかを判定するためのものであるような判定ユニットと、
を有するネットワークシステム。
【請求項１７】
請求項１６に記載のネットワークシステムにおいて、
前記判定ユニットが前記通信品質の要件が満たされると判定した場合に、前記２つのＵＥに対して通知リンクを確立する確立ユニットと、
前記２つのＵＥが前記好適セルにおいてＰ２Ｐ接続を確立することができるように、前記２つのＵＥに対してセルハンドオーバコマンドを送信する送信ユニットと、
を更に有することを特徴とするネットワークシステム。
【請求項１８】
請求項１７に記載のネットワークシステムにおいて、
前記判定ユニットが前記通信品質の要件が満たされ得ないと判定した場合に、前記他のＵＥの前記活動セルにおけるリンク性能をチェックする検出ユニット、
を更に有し、
前記判定ユニットは、前記２つのＵＥの前記活動セルにおけるリンク性能が前記通信品質の要件を満たすことができるかを判定し、
前記送信ユニットは、前記２つのＵＥの前記活動セルにおけるリンク性能が共に前記通信品質の要件を満たすことができる場合に、前記２つのＵＥが前記活動セルにおいてＰ２Ｐ通信を継続することができるように前記２つのＵＥに対してＰ２Ｐ通信を維持するためのコマンドを送信する、
ことを特徴とするネットワークシステム。
【発明の詳細な説明】
【技術分野】
【０００１】
本発明は、広くは無線通信ネットワークにおけるＰ２Ｐ通信方法に係り、更に詳細にはＰ２Ｐ通信モードのＵＥがハンドオーバする方法に関する。
【背景技術】
【０００２】
従来のセルラ移動体通信システムにおいては、ＵＥ（ユーザ装置）は他のＵＥと、斯かる２つのＵＥ間の距離に無関係に基地局の中継を介してのみ通信しなければならない。図１は、この従来の通信モードを示し、該モードにおいてＵＥ１及びＵＥ２は基地局トランシーバ（即ち、ノードＢ）及びＲＮＣからなるＵＴＲＡＮを介して情報を交換する。この通信モードはＵＰ−ＵＴＲＡＮ−ＤＯＷＮモードとも呼ばれる。しかしながら、同一のセル内の２つのＵＥの間の距離が非常に近いような幾つの場合においては、これらＵＥにとり、基地局の中継を介してというよりも、直接通信する方が一層合理的な方法であり得る。この方法は、所謂ピアツーピア通信（Ｐ２Ｐと略称する）と呼ばれる。
【０００３】
図２は、Ｐ２Ｐ通信モードを示す。図２が示すように、点線は通知リンク（signaling link）を表し、実線はデータリンクを表し、矢印は情報の流れを表す。ＵＴＲＡＮとＵＥとの間には通知リンクのみが存在する一方、２つの通信中のＵＥの間にはデータリンクのみが存在する。基本的通信を維持する資源のみが必要とされると仮定する。直接リンクが１つの単位の無線資源（固定周波数、タイムスロット及び拡散コードを伴う）とした場合、Ｐ２Ｐ通信モードが、基本的通信を維持するために２つの単位の無線資源しか必要としないことが容易に導き出される。管理用の追加の通知コストを無視すれば、Ｐ２Ｐ通信は従来の通信モードよりも約５０％無線資源を節約することができる。その間において、ＵＴＲＡＮはＰ２Ｐ通信に対して、特に無線資源を如何に使用するかに関して、依然として制御を保持するので、ネットワーク管理者はＰ２Ｐ通信に使用された無線資源に対して容易に料金を課すことができる。
【０００４】
時分割デュープレックス（ＴＤＤ）エアインターフェースが、異なるアップリンク及びダウンリンクトラフィック要件に対して一層柔軟性のある適応化を提供する通信規格であることは一般的に受け入れられている。ＴＤＤ通信モードに基づく既存の３Ｇシステムの中で、ＴＤ−ＳＣＤＭＡ（時分割-同期コード分割多重アクセス）システムは、Ｐ２Ｐ通信と通常の通信モードとの組み合わせに最も適しているような理想的な通信システムである。何故なら、同一のキャリア周波数がアップリンク通信及びダウンリンク通信の両方に適用され、これが移動体端末のＲＦ（無線周波数）モジュールを簡素化することができるからである。
【０００５】
２００３年３月７日付でコーニンクレッカ・フィリップス・エレクトロニクス・エヌ  ヴィにより出願番号03119892.9で出願された“無線通信ネットワークにおいてＰ２Ｐ通信を確立する方法及び装置”なる名称の特許出願に記載された、無線通信ネットワークにおいてＰ２Ｐ通信を確立する方法及び装置は、ＴＤ−ＳＣＤＭＡシステムを含む如何なるＴＤＤ ＣＤＭＡ通信システムにも適しており、該文献は本明細書に参照文献として組み込まれるものとする。
【０００６】
２００３年３月７日付でコーニンクレッカ・フィリップス・エレクトロニクス・エヌ  ヴィにより出願番号03119895.3で出願された“無線通信ネットワークにおいてＰ２Ｐ通信で無線リンクを確立及び維持する方法及び装置”なる名称の特許出願に記載された、無線通信ネットワークにおいてＰ２Ｐ通信で無線リンクを確立及び維持する方法及び装置は、ＴＤ−ＳＣＤＭＡシステムを含む如何なる無線通信システムにも適しており、該文献は本明細書に参照文献として組み込まれるものとする。
【０００７】
既存のＴＤ−ＳＣＤＭＡシステムと同様のランダムアクセス手順を介してＵＴＲＡＮとアップリンク同期を確立した後、ＵＥは他のＵＥとのＰ２Ｐ直接リンクを、03119892.9なる出願番号の特許出願文献に記載された方法及び装置に従って確立する、即ち２つのＰ２Ｐ ＵＥに対し関連する専用の資源を割り当てることができる。次いで、斯かる２つのＵＥの間の直接リンクを、03119895.3なる出願番号の特許出願文献に記載された方法及び装置に従って確立及び維持することができ、従って、斯かる２つのＵＥは、割り当てられたタイムスロットの各々においてＰ２Ｐ信号を受信及び送信することができ、かくして、２つのＵＥの間のＰ２Ｐ通信を達成することができる。
【０００８】
しかしながら、Ｐ２Ｐ通信モードにおいては、関連するＵＥ間のＰ２Ｐリンク又はＵＥとＵＴＲＡＮとの間の通知リンクは、通信環境の変化又は当該ＵＥの移動により悪化し得る。従って、Ｐ２Ｐ通信モードのＵＥ（以後、Ｐ２Ｐ ＵＥと略称する）は、当該Ｐ２Ｐリンク及び通知リンクがＱｏＳ要件を満たすことができない場合に、通常のＵＰ−ＵＴＲＡＮ−ＤＯＷＮモードで通信を継続するためにＰ２Ｐモードから切り換えなければならない。Ｐ２Ｐ通信モードから通常の通信モードへ切り換えるための方法に対する詳細な説明は、２００３年５月１９日付でコーニンクレッカ・フィリップス・エレクトロニクス・エヌ  ヴィにより出願番号03123742.8で出願された“無線通信システムにおいてＰ２Ｐ通信モードと通常通信モードとの間でソフトスイッチングする方法及び装置”なる名称の特許出願に記載されているように、提供されており、該文献は参考文献として本明細書に組み込まれるものとする。
【０００９】
上記特許出願文献に記載された技術的詳細によれば、１つ又は２つのＰ２Ｐ ＵＥが、所在しているセル（活動セル）の境界へ移動すると、当該ＵＥと基地局（ノードＢ）との間の通知リンクが通常のＰ２Ｐ通信を維持することができなくなる。従って、斯かるＵＥは先ず現在のＰ２Ｐ通信モードを通常の通信モードへ切り換え、次いで通常のモードにおけるセルハンドオーバ方法を用いることによりＱｏＳ要件を満たすことが可能な隣接セルへ手渡し（ハンドオーバし）、通常のモードで通信を継続する。
【００１０】
上記特許出願文献の技術的解決策によれば、２つのＵＥは加入者により気付かれることなく通信を継続することができるが、Ｐ２Ｐ通信は、ネットワーク資源を節約するという大きな利点を有している。従って、Ｐ２Ｐ ＵＥにとりセルハンドオーバが必要とされる場合、斯かる２つのＵＥが、Ｐ２Ｐ通信に対する要件を依然として満たすことができるならば、Ｐ２Ｐ通信を継続することが、より合理的な通信モードオプションであろう。
【発明の開示】
【発明が解決しようとする課題】
【００１１】
本発明の目的は、Ｐ２Ｐ（ピアツーピア）ＵＥに対するセルハンドオーバ方法を提供することにある。この方法及び装置によれば、２つのＵＥは、Ｐ２Ｐ通信に対する要件を依然として満たすことができるならば、活動セルから隣接セルへハンドオーバする場合にＰ２Ｐ通信を維持することができる。
【課題を解決するための手段】
【００１２】
ＵＥ（ユーザ装置）により実行される、本発明によるＰ２Ｐ ＵＥがセルハンドオーバを実行する方法は、当該ＵＥが所在している活動セル及びその隣接セルのダウンリンク信号を測定するステップと、該測定結果に基づいて、上記活動セルのものより所定値高いリンク性能（link performance）の適したセルが存在するかを判定するステップと；上記適したセルが存在する場合にネットワークシステムに測定レポートメッセージを送信して該ネットワークシステムの判定手順を開始するステップであって、該判定手順が当該ＵＥ及び他方のＰ２Ｐ ＵＥがＰ２Ｐ通信を継続するために上記適したセルにハンドオーバすることができるかを決定するものであるようなステップとを有する。
【００１３】
ネットワークシステムにより実行される、本発明による２つのＰ２Ｐ ＵＥがセルハンドオーバを実行する方法は、上記２つのＵＥの何れかから、該ＵＥが自身の活動セルの隣接セルに適したセルが存在することを検出したことを示すような測定レポートメッセージを受信するステップであって、該適したセルのリンク性能が自身の活動セルのものより所定値高いようなステップと；上記２つのＵＥがＰ２Ｐ通信を継続するために上記適したセルへハンドオーバすることができるかを、該適したセルにおける上記他方のＵＥのリンク性能がＱｏＳ要件を満たすかを含めて決定するための判定手順を開始するステップと；上記ＱｏＳ要件を満たすことができる場合に上記２つのＵＥの間に通知リンクを確立するステップと；上記２つのＵＥが上記適したセルにおいてＰ２Ｐ接続を確立することができるように、これら２つのＵＥにハンドオーバコマンドを送信するステップとを有する。
【００１４】
本発明の好ましい実施例の詳細な説明に関しては、添付図面を参照する。
【発明を実施するための最良の形態】
【００１５】
以下、本発明に対する詳細な説明を、ＴＤ−ＳＣＤＭＡシステムを例にとり説明する。本発明におけるＰ２Ｐ ＵＥのためのセルハンドオーバ方法を理解するために、最初に、ＵＥとＵＴＲＡＮとにより実行されるべき通常のモードでのセルハンドオーバ手順を図３に関連して簡単に紹介する。
【００１６】
図３が示すように、電源をオンすると、ＵＥは先ずセル検索手順を介して所在すべきセルを選択するが、これは通常の通信モードと同様である。次いで、該ＵＥは通常の通信を可能にするためにランダムアクセス手順を介して当該ネットワークシステム（即ちＵＴＲＡＮ）との無線リンクを確立する（ステップＳ１０１）。
【００１７】
ＵＴＲＡＮとのリンクを確立した後、該ＵＥはＵＴＲＡＮから測定制御メッセージ（測定内容、レポート規格、レポートフォーマット等を含む）を受信すると共に、該測定制御メッセージ中に示されるセル（当該ＵＥが所在する活動セル及びその隣接セル等）のダウンリンク信号を測定し続ける（ステップＳ１０２）。例えば、該ＵＥはＰ−ＣＣＰＣＨ ＲＳＣＰ（一次共通制御チャンネル受信信号コードパワー）を測定して、当該ＵＥが所在する活動セル及びその隣接セルのダウンリンクＲｘパワーを得る。
【００１８】
該測定手順の間において、当該ＵＥが所定の閾ＴＲＨＤ１より高いダウンリンク性能の隣接セルを見付けると（ステップＳ１０３）、該ＵＥはＵＴＲＡＮに対して候補セルレポートメッセージを送信して、ＵＴＲＡＮに該隣接セルを候補セルとして報告する（ステップＳ１０４）。この場合において、上記ダウンリンク性能は当該ＵＥのＢＥＲ（ビットエラー率）評価規準とすることができ、ＴＲＨＤ１はＵＥとＵＴＲＡＮとの間のリンク性能がＱｏＳ要件を満たすことができるような下限値であり、上記候補セルは、まだ活動していないが、そのリンクが信号を受信及び送信するために使用された場合に、リンク性能がＱｏＳ要件を満たすことができるようなセルである。
【００１９】
ＵＥから上記候補セルレポートメッセージを受信すると、ＵＴＲＡＮは該レポートメッセージ中に示されたセルを当該ＵＥの候補セル集合に加える（ステップＳ１０５）。ここで、上記候補セル集合を記憶するための記憶領域は充分に大きいので、ＵＥが新たな候補セルを見付け、ＵＴＲＡＮにレポートメッセージを送信する場合には常に、ＵＴＲＡＮは該新たな候補セルを該ＵＥの候補セル集合に加えることができると仮定する。
【００２０】
当該ＵＥが前記測定制御メッセージに示されるセルのダウンリンクを１つずつ測定するが、依然として新たな候補セルを見付けられない場合、該ＵＥの候補セル集合内に、リンク性能が活動セルのものより所定閾ＴＲＨＤ２高いような、適した候補セルが存在するかをチェックする（ステップＳ１０６）。
【００２１】
このような適した候補セルが存在する場合、ＵＥは測定レポートメッセージをＵＴＲＡＮに送信して、該ＵＴＲＡＮのセルハンドオーバ動作を開始させる（ステップＳ１０７）。ＵＥから該測定レポートメッセージを受信した後、ＵＴＲＡＮは無線資源割り当てに従ってハンドオーバの決定を行う（ステップＳ１０８）。
【００２２】
ＵＴＲＡＮが無線資源に関するＵＥのリクエストを常に満たすことができると仮定すると、ＵＴＲＡＮは上記候補セルにおけるリンクを作動させ、このハンドオーバセル内のリンクを介して、該ハンドオーバセルに新たなリンクを確立するための制御信号を受信及び送信する（ステップＳ１０９）。ＵＴＲＡＮは、前の活動セル内のリンクを介してＵＥにハンドオーバコマンドを送信する（ステップＳ１１０）。該ハンドオーバコマンドを受信すると、ＵＥは前のセルにおける通信を終了し、新たなセルにおいて新たなリンクを、上記ハンドオーバコマンドに含まれる無線資源情報に従って確立する（ステップＳ１１１）。
【００２３】
該ハンドオーバセル内で成功裏にリンクを確立した後、ＵＥはＵＴＲＡＮにハンドオーバ成功メッセージを送信する（ステップＳ１１２）。該ハンドオーバ成功メッセージを受信すると、ＵＴＲＡＮは前のセルのリンクを介しての信号の受信及び送信を停止し、該前のセルにより占有されていた無線資源を解放する（ステップＳ１１３）。
【００２４】
通常のモードにおけるＵＥ及びＵＴＲＡＮによるセルハンドオーバ手順を上述した。Ｐ２Ｐ通信モードにおいては、ＵＥとＵＴＲＡＮとの間で通知信号（signaling signal）が発生する一方、２つのＰ２Ｐ通信中ＵＥの間ではトラフィック信号が流れている。従って、２つのＰ２Ｐ通信中ＵＥの一方が又は両方がセルの境界に移動した場合、他のセルへのハンドオーバが必要となるなら、ハンドオーバ処理は斯かる２つのＵＥに直接関わる。２つのＵＥを他のセルに同時にハンドオーバすると共にＰ２Ｐ通信を継続すべきか、又は現活動セル内で２つのＵＥの間のＰ２Ｐ通信を維持すべきか、又は２つのＵＥの通信が中断されないように斯かる２つのＵＥを通常のモードにハンドオーバすべきかを考察すると、Ｐ２Ｐ通信モードにおけるハンドオーバは、上述した通常の通信モードにおけるハンドオーバとは違いを示す。
【００２５】
以下、Ｐ２Ｐ ＵＥが本発明によるセルハンドオーバを実行する場合に、ＵＥとＵＴＲＡＮとの間で実行されるべきセルハンドオーバ手順を、図４に関連して説明する。
【００２６】
図４が示すように、ＵＥ１及びＵＥ２が通常のモードで所在すべきセルを選択した後、これらがＰ２Ｐ通信の要件を満足する場合は、ＵＥ１及びＵＥ２は、前記出願第03119895.3号の特許出願文献に記載されたような方法、又はコーニンクレッカ・フィリップス・エレクトロニクス・エヌ・ヴィにより本出願と一緒に出願人整理番号CN030062で出願された“異なるセルにおいてＰ２Ｐ通信を確立する方法及び装置”なる名称の特許出願に記載された方法によりＰ２Ｐ直接リンクを確立することができる（ステップＳ２０１）。
【００２７】
直接リンクが確立された後、ＵＥ１及びＵＥ２は該直接リンクを介してＰ２Ｐ通信を実行する（ステップＳ２０２）。
【００２８】
Ｐ２Ｐ通信手順の間において、ＵＥ１及びＵＥ２は、当該Ｐ２Ｐリンク性能がＱｏＳ要件を満足することができるかを測定し続ける（ステップＳ２０３）。
【００２９】
該Ｐ２Ｐリンク性能がＱｏＳ要件を満たすことができないことを測定した場合、ＵＥ１及びＵＥ２は、03123742.8なる出願番号の前記特許出願文献に記載された方法により、通常のモードで通信するように切り換えられる（ステップＳ２０４）。
【００３０】
上記Ｐ２Ｐリンク性能がＱｏＳ要件を満たすことができることを測定した場合、ＵＥ１及びＵＥ２は、これらＵＥの対応する活動セル及び隣接セル内のダウンリンク信号（例えば、Ｐ−ＣＣＰＣＨのＲＳＣＰ）を、ＵＴＲＡＮにより送信される測定制御メッセージに示されるセルに従って測定し続ける（ステップＳ２０５）。
【００３１】
該測定の間において、ＵＥ１又はＵＥ２は、自身の隣接セルの中に、ダウンリンク性能が所定の閾ＴＲＨＤ＿Ａを超えると共に現在の活動セルのダウンリンク性能よりも所定の閾ＴＲＨＤ＿Ｂ高いような好適なセルが存在するかを検出する（ステップＳ２０６）。ここで、ＴＲＨＤ＿Ａは当該通信リンクがＱｏＳ要件を満たすような下限値とすることができ、ＴＲＨＤ＿Ｂは隣接セルを候補セルとして挙げることができるような条件とすることができる。
【００３２】
ＵＥ１又はＵＥ２が斯様な好適セルを検出したなら、ＵＥ１又はＵＥ２はＵＴＲＡＮに候補セルレポートメッセージを送信し、かくして、上記好適セルをＵＴＲＡＮに候補セルとして報告することができる（ステップＳ２０７）。
【００３３】
ＵＥ１又はＵＥ２から候補セルレポートメッセージを受信した後、ＵＴＲＡＮは該レポートメッセージで示されたセルを、ＵＥ１又はＵＥ２の候補セル集合に追加する（ステップＳ２０８）。
【００３４】
ここでも、上記候補セル集合を記憶するための記憶領域は充分に大きいと仮定されるので、ＵＥ１又はＵＥ２が新たな候補セルを見付け、レポートメッセージをＵＴＲＡＮに送信する場合には常に、ＵＴＲＡＮは該新たな候補セルをＵＥ１又はＵＥ２の候補セル集合に追加することができる。
【００３５】
ＵＥ１又はＵＥ２が上記測定制御メッセージで示される隣接セルのダウンリンクを１つずつ測定するが、依然として新たな候補セルを見付けることができない場合、ＵＥ１又はＵＥ２は、ＵＥ１の又はＵＥ２の決定された候補セル集合の中に、リンク性能が現在の活動セルのものより所定の閾ＴＲＨＤ＿Ｃ高いような好適な候補セルが存在するかを検出する（ステップＳ２０９）。ＴＲＨＤ＿Ｃは、候補セルが上記好適な候補セルになることができる閾である。
【００３６】
このような好適な候補セルが存在する場合、ＵＥ１又はＵＥ２は測定レポートメッセージをＵＴＲＡＮに送信して該ＵＴＲＡＮの判定手順を開始する。該判定手順はＵＥ１及びＵＥ２が該好適な候補セルにハンドオーバして、Ｐ２Ｐ通信を継続することができるかを決定する（ステップＳ２１０）。この場合、上記測定レポートメッセージはＵＥ１及びＵＥ２の活動セルのリンク性能及び上記好適な候補セルのリンク性能測定結果を含む。
【００３７】
ここで、上記測定レポートメッセージはＵＥ１により送信され、ＵＴＲＡＮはＵＥ１から該測定レポートメッセージを受信した後にハンドオーバ判定手順を開始すると仮定する。先ず、ＵＴＲＡＮはＵＥ１及びＵＥ２の候補セル集合をチェックし（ステップＳ２１１）、斯かる２つの候補セル集合に共通の候補セルが存在するかを決定する（ステップＳ２１２）。
【００３８】
もし斯様な共通の候補セルが存在したら、ＵＴＲＡＮは無線資源割り当てに従ってハンドオーバの決定を行う（ステップＳ２２１）。ＵＴＲＡＮがＵＥ１及びＵＥ２の無線資源リクエストを常に満たすことができる場合、該ＵＴＲＡＮは通知の受信及び送信のために上記共通候補セルのリンクを作動させ、かくして、ＵＥ１及びＵＥ２は該共通候補セルにおいてＵＴＲＡＮとの通知リンクを確立する（ステップＳ２２２）。ＵＴＲＡＮは、以前の活動セルにおけるリンクを介してＵＥ１及びＵＥ２の各々にセルハンドオーバコマンドを送信する（ステップ２２３）。ＵＥ１及びＵＥ２は、該セルハンドオーバコマンドを受信した後に、以前のセルにおけるＰ２Ｐリンクを解放し、新たな共通候補セルにおける新たなＰ２Ｐリンクを、上記セルハンドオーバコマンドに含まれる無線資源情報に従って、出願番号が03119895.3である前記特許出願文献に開示された方法で確立する（ステップＳ２２４）。該ハンドオーバセルにおいてＰ２Ｐリンクを成功裏に確立した後に、ＵＥ１及びＵＥ２はＵＴＲＡＮにハンドオーバ成功メッセージを各々送信する（ステップＳ２２５）。該ハンドオーバ成功メッセージを受信した後、ＵＴＲＡＮは、以前のセルにおけるリンク上の通知の受信及び送信を停止し、該以前のセルにより占有されていた無線資源を解放する（ステップＳ２２６）。
【００３９】
上記ステップＳ２１２において共通の候補セルが存在しないと判断された場合、ＵＴＲＡＮは活動セルにおけるＵＥ２のリンク性能に関しての測定レポートを有しているかをチェックする（ステップＳ２１３）。
【００４０】
ＵＥ２の測定レポートが存在しない場合、ＵＴＲＡＮはＵＥ２に測定制御メッセージを送信して、ＵＥ２に自身の活動セルにおけるリンク性能をＵＴＲＡＮに報告するよう要求する（ステップＳ２１４）。上記測定制御メッセージを受信すると、ＵＥ２は自身の活動セルのリンク性能を、測定レポートとして、ＵＴＲＡＮに送信する（ステップＳ２１５）。そして、ＵＴＲＡＮはＵＥ２から該測定レポートを受信する（ステップＳ２１６）。
【００４１】
ＵＥ２の測定レポートが存在する場合は、当該活動セルにおけるＵＥ１及びＵＥ２のリンク性能が所定の閾ＴＲＨＤ＿Ｄより高いかを、即ち対応する活動セルにおけるＵＥ１及びＵＥ２のリンク性能がＱｏＳ要件を満たすことができるかを判定する（ステップＳ２１９）。この場合、ＴＲＨＤ＿Ｄは、基地局とＵＥ１及びＵＥ２との間での通知伝送を保証するためのリンク品質標準である。対応する活動セルにおけるＵＥ１及びＵＥ２のリンク性能が、共に、ＱｏＳ要件を満たすことができる場合、ＵＴＲＡＮはＵＥ１及びＵＥ２にＰ２Ｐ通信維持コマンドを送信する。ＵＥ１及びＵＥ２が上記Ｐ２Ｐ通信維持コマンドを受信した後、これらＵＥは、対応するセルにおける以前のＰ２Ｐ通信を維持し続ける（ステップＳ２２０）。ＵＥ１及びＵＥ２の少なくとも一方の対応する活動セルにおけるリンク性能がＱｏＳ要件を満たすことができない場合、ＵＴＲＡＮはＵＥ１及びＵＥ２に対し、通常のモードに切り換えるためのコマンドを送信する。通常モードへ切り換えるための該コマンドを受信した後、ＵＥ１及びＵＥ２は、03123742.8なる出願番号の特許出願文献に開示された方法によりＰ２Ｐ通信モードから通常の通信モードへ切り換え（ステップＳ２１７）、通常モードにおいて通信を継続する（ステップＳ２１８）。
【００４２】
Ｐ２Ｐ ＵＥは、他のＵＥとの絶え間のない通信を保証する場合、上記Ｓ２０３〜Ｓ２２６のステップを反復し続けて、Ｐ２Ｐモードをより一層良好に利用し、無線資源を節約する。
【００４３】
本発明で提案されたＰ２Ｐ ＵＥのためのセルハンドオーバ方法は、コンピュータソフトウェアで、又はソフトウェア機能を持つハードウェアモジュールで、又はソフトウェアとハードウェアとの組み合わせで実施化することができる。
【００４４】
本発明で提案されたＰ２Ｐ ＵＥのためのセルハンドオーバ方法を実施するためにコンピュータハードウェアが採用された場合、当該ネットワークシステム及びＵＥは図５に示されたものとなり、該図において従来のネットワークシステム及びＵＥと同様の構成要素は示されていない。
【００４５】
図５が示すように、ＵＥ２００における検出ユニット２０１は、該ＵＥの活動セル及びその隣接セルにおけるダウンリンク信号を検出する。測定結果に従って、判定ユニット２０２は、リンク性能が上記活動セルのものより所定値高い好適なセルが存在するかを判定する。好適なセルが存在する場合、送信ユニット２０３は測定レポートメッセージをネットワークシステム１００に送信して、Ｐ２Ｐ通信中のＵＥ及び他のＵＥがＰ２Ｐ通信を継続するために該好適なセルにハンドオーバすることができるかを決定するための判定手順を開始する。
【００４６】
ネットワークシステム１００における受信ユニット１０１は上記測定レポートメッセージを上記２つのＵＥのうちの何れか一方から受信する。該測定レポートメッセージに従って、判定ユニット１０２は、上記好適なセルにおける他方のＵＥのリンク性能がＱｏＳ要件を満たすかを判定して、斯かる２つのＵＥが、Ｐ２Ｐ通信を継続するために、上記好適なセルにハンドオーバすることができるかを決定する。
【００４７】
ＱｏＳ要件が満たされると判定された場合、確立ユニット１０３は、これら２つのＵＥの間の通知リンクを確立する。送信ユニット１０４は、ハンドオーバコマンドを斯かる２つのＵＥに送信して、これらＵＥに該好適なセルでＰ２Ｐリンクを確立させる。ＵＥ２００における受信ユニット２０４がネットワークシステム１００からハンドオーバコマンドを受信すると、該ＵＥは上記好適なセルにいて他方のＵＥとのＰ２Ｐリンクを確立する。
【００４８】
ＱｏＳ要件が満たされないと判定された場合、ネットワークシステム１００における測定ユニット１０５は、当該活動セルにおける他方のＵＥのリンク性能をチェックする。判定ユニット１０２は、該活動セルにおける２つのＵＥのリンク性能がＱｏＳ要件を満たすことができるかを判定する。更に、当該活動セルにおける上記２つのＵＥのリンク性能が、共に、ＱｏＳ要件を満たすことができる場合、送信ユニット１０４は斯かる２つのＵＥに対しＰ２Ｐ通信維持コマンドを送信して、これらＵＥが斯かる活動セルにおいてＰ２Ｐ通信を継続するようにさせる。ＵＥ２００における受信ユニット２０４がネットワークシステム１００からＰ２Ｐ通信維持コマンドを受信すると、該ＵＥは当該活動セルにおいて他方のＵＥとのＰ２Ｐ通信を維持する。
【００４９】
以上説明したように、本発明により提供されるＰ２Ｐ ＵＥのためのセルハンドオーバ方法に関しては、ハンドオーバの決定を行う場合、２つのＰ２Ｐ通信中のＵＥに対して共通の候補セルが存在するかを決定しなければならない。このような共通の候補セルが存在する場合、上記２つのＵＥは該共通候補セルに同時にハンドオーバすることができる。従って、該候補セルへのハンドオーバの後、Ｐ２Ｐ通信モードは継続することができ、かくして、２つのＵＥの間の中断のない通信を保証する場合にも無線資源を節約することができる。
【００５０】
当業者によっては、この発明で開示されたＰ２Ｐ ＵＥがハンドオーバする方法は、ＴＤ−ＳＣＤＭＡシステムに限定されるものではなく、他のＴＤＤ無線システムにも適用可能であると理解されるべきである。
【００５１】
また、当業者によっては、この発明で開示されたＰ２Ｐ通信をハンドオーバするのを支援する方法は、添付請求項に記載された本発明の趣旨及び範囲から逸脱することなしに大幅に変更することができると理解されるべきである。
【図面の簡単な説明】
【００５２】
【図１】図１は、２つのＵＥが通常の通信モードにおいて基地局の中継を介して通信するのを示す概念図である。
【図２】図２は、２つのＵＥがＰ２Ｐ通信モードで通信するのを示す概念図である。
【図３】図３は、セルハンドオーバが従来の方法で実行される場合の、ＵＥとＵＴＲＡＮとにより実行されるべきセルハンドオーバ手順を示す概要図である。
【図４】図４は、セルハンドオーバがＰ２Ｐ通信モードのＵＥにより実行される場合の、Ｐ２Ｐ ＵＥとＵＴＲＡＮとの間で実行されるべきセルハンドオーバ手順を示す概要図である。
【図５】図５は、本発明によるＰ２Ｐ ＵＥのためのセルハンドオーバ方法を実施することができるようなネットワークシステム及びＵＥのハードウェアモジュールの構成要素の概要図を示す。
【図１】
2007512752.tif 000003
【図２】
2007512752.tif 000004
【図３】
2007512752.tif 000005
【図４】
2007512752.tif 000006
【図５】
2007512752.tif 000007
【国際調査報告】
2007512752.tif 000008
2007512752.tif 000009
2007512752.tif 000010